(57)【要約】【解決手段】本発明に係る変調および符号化方式の選択方法並びに装置には、受信機が、測定サブフレームの干渉及び雑音電力に応じて、基準変調および符号化方式パラメータにおける平均搬送波対干渉・雑音比の範囲を調整し、受信機が、測定サブフレームの予め設定される期間内における平均干渉及び雑音電力に応じて、予め設定される期間内における平均搬送波対干渉・雑音比を算出して取得し、受信機が、前記算出されて取得された予め設定される期間内における平均搬送波対干渉・雑音比に基づいて、調整後の前記平均搬送波対干渉・雑音比の範囲と比較することで、変調および符号化方式情報を確定する。これによって、チャネル条件の変化により動的にＭＣＳを選択することに対する影響を克服できる。【選択図】図１
2013536618.tif 000002
【特許請求の範囲】
【請求項１】
変調および符号化方式の選択方法であって、当該方法は、
受信機が、測定サブフレームの干渉及び雑音電力に応じて、基準変調および符号化方式パラメータにおける平均搬送波対干渉・雑音比の範囲を調整するステップと、
受信機が、測定サブフレームの予め設定される期間内における平均干渉及び雑音電力に応じて、予め設定される期間内における平均搬送波対干渉・雑音比を算出して取得するステップと、
受信機が、前記算出されて取得された予め設定される期間内における平均搬送波対干渉・雑音比に基づいて、調整後の前記平均搬送波対干渉・雑音比の範囲と比較することで、変調および符号化方式情報を確定するステップとを含むことを特徴とする変調および符号化方式の選択方法。
【請求項２】
前記受信機が、測定サブフレームの干渉及び雑音電力に応じて、基準変調および符号化方式パラメータにおける平均搬送波対干渉・雑音比の範囲を調整するステップは、
受信機が測定サブフレームの干渉及び雑音電力ｐ（ｎ）を取得するステップと、
受信機が予め設定される期間内における測定サブフレームの干渉及び雑音電力ｐ（ｎ）の平均値Ｐ（ｎ）及び分散Ｖ（ｎ）を算出して取得するステップと、
受信機が前記平均値Ｐ（ｎ）及び分散Ｖ（ｎ）に応じて、基準変調および符号化方式パラメータにおける平均搬送波対干渉・雑音比の範囲の予測調整量を算出して取得するステップと、
受信機が前記予測調整量に応じて、基準変調および符号化方式パラメータにおける平均搬送波対干渉・雑音比の範囲を調整するステップとを含むことを特徴とする
請求項１に記載の方法。
【請求項３】
前記受信機が予め設定される期間内における測定サブフレームの干渉及び雑音電力ｐ（ｎ）の平均値Ｐ（ｎ）を算出して取得することは、下記公式に基づいて完了され、
2013536618.tif 000009
ここで、パラメータαの値の範囲が（０、１）であり、
前記受信機が予め設定される期間内における測定サブフレームの干渉及び雑音電力ｐ（ｎ）の分散Ｖ（ｎ）を算出して取得することは、下記公式に基づいて完了され、
2013536618.tif 000010
ここで、パラメータαの値の範囲が（０、１）であることを特徴とする
請求項２に記載の方法。
【請求項４】
前記受信機が前記平均値Ｐ（ｎ）及び分散Ｖ（ｎ）に応じて、基準変調および符号化方式パラメータにおける平均搬送波対干渉・雑音比の範囲の予測調整量を算出して取得するステップは、
受信機が前記予め設定される期間内における干渉及び雑音電力ｐ（ｎ）の平均値Ｐ（ｎ）及び分散Ｖ（ｎ）に応じて、正規化信号電力分散Ｂ（ｎ）を算出して取得するステップと（ここで、Ｂ（ｎ）＝Ｖ（ｎ）／Ｐ（ｎ）２）、
受信機が前記正規化信号電力分散に応じて、基準変調および符号化方式パラメータにおける平均搬送波対干渉・雑音比の範囲の予測調整量Δ（ｎ）を算出して取得するステップと（ここで、Δ（ｎ）＝ｆ（Ｂ（ｎ））、ｆ（）が増加関数である）を含むことを特徴とする
請求項２に記載の方法。
【請求項５】
前記受信機が、測定サブフレームの予め設定される期間内における平均干渉及び雑音電力に応じて予め設定される期間内における平均搬送波対干渉・雑音比を算出して取得することは下記公式に基づいて完了され、
平均搬送波対干渉・雑音比ＣＩＮＲ（ｎ）＝１０ｌｏｇ１０（Ｃ／Ｐ（ｎ））、
ここで、Ｃが信号電力であることを特徴とする
請求項２に記載の方法。
【請求項６】
変調および符号化方式情報を確定した後、当該方法は、
受信機が前記確定された変調および符号化方式情報を送信機にフィードバックするステップを更に含むことを特徴とする
請求項１〜５のいずれか１項に記載の方法。
【請求項７】
変調および符号化方式の選択装置であって、当該装置は、
測定サブフレームの干渉及び雑音電力に応じて、基準変調および符号化方式パラメータにおける平均搬送波対干渉・雑音比の範囲を調整する調整モジュールと、
測定サブフレームの予め設定される期間内における平均干渉及び雑音電力に応じて、予め設定される期間内における平均搬送波対干渉・雑音比を算出して取得する計算モジュールと、
前記計算モジュールによって算出されて取得された予め設定される期間内における平均搬送波対干渉・雑音比に基づいて、前記調整モジュールによって調整された平均搬送波対干渉・雑音比の範囲と比較することで、変調および符号化方式情報を確定する確定モジュールとを含む変調および符号化方式の選択装置。
【請求項８】
前記調整モジュールは、
測定サブフレームの干渉及び雑音電力ｐ（ｎ）を取得する取得ユニットと、
予め設定される期間内における測定サブフレームの干渉及び雑音電力ｐ（ｎ）の平均値Ｐ（ｎ）及び分散Ｖ（ｎ）を算出して取得する第１計算ユニットと、
前記第１計算ユニットによって算出されて取得された平均値Ｐ（ｎ）及び分散Ｖ（ｎ）に応じて、基準変調および符号化方式パラメータにおける平均搬送波対干渉・雑音比の範囲の予測調整量を算出して取得する第２計算ユニットと、
前記第２計算ユニットによって算出されて取得された予測調整量に応じて、基準変調および符号化方式パラメータにおける平均搬送波対干渉・雑音比の範囲を調整する調整ユニットとを含むことを特徴とする
請求項７に記載の装置。
【請求項９】
当該装置は、
前記確定モジュールによって確定された変調および符号化方式情報を送信機にフィードバックするフィードバックモジュールを更に含むことを特徴とする
請求項８に記載の装置。
【請求項１０】
当該装置は受信機であることを特徴とする
請求項７〜９のいずれか１項に記載の装置。
【発明の詳細な説明】
【技術分野】
【０００１】
本発明は、通信技術分野に関し、特に、変調および符号化方式の選択方法並びに装置に関する。
【背景技術】
【０００２】
典型的な無線通信チャネルは、ランダム変動であり、周波数選択性及び経時変化性の特徴を有する。無線通信システムの設計では、このような無線チャネルのランダム変動を考慮する必要がある。更に優れた設計は、このようなランダム変動性を利用してシステムの機能と容量を向上させることができる。チャネルのインスタント品質に応じて、変調および符号化方式（ＭＣＳ：Ｍｏｄｕｌａｔｉｏｎ  ａｎｄ  Ｃｏｄｉｎｇ  Ｓｃｈｅｍｅ）を動的に調整して伝送速度を変更することは重要な着想である。ＭＣＳの動的な選択技術は３Ｇ、４Ｇひいては未来の広帯域無線通信の重要な技術である。この技術は、ロング・ターム・エボリューション（ＬＴＥ：Ｌｏｎｇ  Ｔｅｒｍ  Ｅｖｏｌｕｔｉｏｎ）、ワイマックス（ＷｉＭａｘ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の３Ｇ、４Ｇ広帯域無線通信分野で幅広く応用される。
【０００３】
ＭＣＳの動的な選択技術は送信機（例えば基地局）がチャネルのインスタント品質の情報を有することを要求する。しかしながら、インスタントチャネル品質の情報は受信機（例えばユーザ装置ＵＥ）からのフィードバックにより得られる。
【０００４】
送信機がフィードバックされたＭＣＳを用いるタイミングは、受信機がチャネルを予測してＭＣＳを選択するタイミングより、一定の遅延が存在するので、送信機がフィードバックされたＭＣＳを用いるタイミングでのチャネル条件は、受信機がＭＣＳを選択するタイミングでのチャネル条件と異なる。このような異なりはチャネル自身の変化及び干渉の変化より起こされる。このため、従来の技術条件下で、受信機によってフィードバックされたＭＣＳは、送信機が伝送するときのチャネル条件に適合しない。
【発明の概要】
【発明が解決しようとする課題】
【０００５】
本発明が解決しようとする技術問題は、受信機がＭＣＳを選択する場合に事前に予測することで、チャネル条件の変化により動的にＭＣＳを選択することに対する影響を克服するできる変調および符号化方式の選択方法並びに装置を提供することにある。
【課題を解決するための手段】
【０００６】
上記技術問題を解決するために、本発明の実施形態に係る変調および符号化方式の選択方法は、
受信機が、測定サブフレームの干渉及び雑音電力に応じて、基準変調および符号化方式パラメータにおける平均搬送波対干渉・雑音比の範囲を調整するステップと、
受信機が、測定サブフレームの予め設定される期間内における平均干渉及び雑音電力に応じて、予め設定される期間内における平均搬送波対干渉・雑音比を算出して取得するステップと、
受信機が、前記算出されて取得された予め設定される期間内における平均搬送波対干渉・雑音比に基づいて、調整後の前記平均搬送波対干渉・雑音比の範囲と比較することで、変調および符号化方式情報を確定するステップとを含む。
【０００７】
好ましくは、上記方法において、前記受信機が、測定サブフレームの干渉及び雑音電力に応じて、基準変調および符号化方式パラメータにおける平均搬送波対干渉・雑音比の範囲を調整するステップは、
受信機が測定サブフレームの干渉及び雑音電力ｐ（ｎ）を取得するステップと、
受信機が予め設定される期間内における測定サブフレームの干渉及び雑音電力ｐ（ｎ）の平均値Ｐ（ｎ）及び分散Ｖ（ｎ）を算出して取得するステップと、
受信機が前記平均値Ｐ（ｎ）及び分散Ｖ（ｎ）に応じて、基準変調および符号化方式パラメータにおける平均搬送波対干渉・雑音比の範囲の予測調整量を算出して取得するステップと、
受信機が前記予測調整量に応じて、基準変調および符号化方式パラメータにおける平均搬送波対干渉・雑音比の範囲を調整するステップとを含む。
【０００８】
好ましくは、上記方法において、前記受信機が予め設定される期間内における測定サブフレームの干渉及び雑音電力ｐ（ｎ）の平均値Ｐ（ｎ）を算出して取得することは下記公式に基づいて完了され、
2013536618.tif 000003
【０００９】
ここで、パラメータαの値の範囲は（０、１）である。
【００１０】
前記受信機が予め設定される期間内における測定サブフレームの干渉及び雑音電力ｐ（ｎ）の分散Ｖ（ｎ）を算出して取得することは下記公式に基づいて完了され、
2013536618.tif 000004
【００１１】
ここで、パラメータαの値の範囲が（０、１）である。
【００１２】
好ましくは、上記方法において、前記受信機が前記平均値Ｐ（ｎ）及び分散Ｖ（ｎ）に応じて、基準変調および符号化方式パラメータにおける平均搬送波対干渉・雑音比の範囲の予測調整量を算出して取得するステップは、
受信機が前記予め設定される期間内における干渉及び雑音電力ｐ（ｎ）の平均値Ｐ（ｎ）及び分散Ｖ（ｎ）に応じて、正規化信号電力分散Ｂ（ｎ）を算出して取得するステップと（ここで、Ｂ（ｎ）＝Ｖ（ｎ）／Ｐ（ｎ）２）、
受信機が前記正規化信号電力分散に応じて、基準変調および符号化方式パラメータにおける平均搬送波対干渉・雑音比の範囲の予測調整量Δ（ｎ）を算出して取得するステップと（ここで、Δ（ｎ）＝ｆ（Ｂ（ｎ））、ｆ（）が増加関数である）を含む。
【００１３】
好ましくは、上記方法において、前記受信機が、測定サブフレームの予め設定される期間内における平均干渉及び雑音電力に応じて、予め設定される期間内における平均搬送波対干渉・雑音比を算出して取得することは下記公式に基づいて完了され、
平均搬送波対干渉・雑音比ＣＩＮＲ（ｎ）＝１０ｌｏｇ１０（Ｃ／Ｐ（ｎ））、
ここで、Ｃが信号電力である。
【００１４】
好ましくは、変調および符号化方式情報を確定した後、当該方法は、
受信機が前記確定された変調および符号化方式情報を送信機にフィードバックするステップを更に含む。
【００１５】
また、本発明の実施形態に係る変調および符号化方式の選択装置は、
測定サブフレームの干渉及び雑音電力に応じて、基準変調および符号化方式パラメータにおける平均搬送波対干渉・雑音比の範囲を調整する調整モジュールと、
測定サブフレームの予め設定される期間内における平均干渉及び雑音電力に応じて、予め設定される期間内における平均搬送波対干渉・雑音比を算出して取得する計算モジュールと、
前記計算モジュールによって算出されて取得された予め設定される期間内における平均搬送波対干渉・雑音比に基づいて、前記調整モジュールによって調整された平均搬送波対干渉・雑音比の範囲と比較することで、変調および符号化方式情報を確定する確定モジュールとを含む。
【００１６】
好ましくは、上記装置において、前記調整モジュールは、
測定サブフレームの干渉及び雑音電力ｐ（ｎ）を取得する取得ユニットと、
予め設定される期間内における測定サブフレームの干渉及び雑音電力ｐ（ｎ）の平均値Ｐ（ｎ）及び分散Ｖ（ｎ）を算出して取得する第１計算ユニットと、
前記第１計算ユニットによって算出されて取得された平均値Ｐ（ｎ）及び分散Ｖ（ｎ）に応じて、基準変調および符号化方式パラメータにおける平均搬送波対干渉・雑音比の範囲の予測調整量を算出して取得する第２計算ユニットと、
前記第２計算ユニットによって算出されて取得された予測調整量に応じて、基準変調および符号化方式パラメータにおける平均搬送波対干渉・雑音比の範囲を調整する調整ユニットとを含む。
【００１７】
好ましくは、上記装置において、当該装置は、前記確定モジュールによって確定された変調および符号化方式情報を送信機にフィードバックするフィードバックモジュールを更に含む。
【００１８】
好ましくは、当該装置が受信機である。
【発明の効果】
【００１９】
以上のように、本発明に係る変調および符号化方式の選択方法並びに装置において、受信機が、測定サブフレームの干渉及び雑音電力に応じて、基準変調および符号化方式パラメータにおける平均搬送波対干渉・雑音比の範囲を調整し、受信機が、測定サブフレームの予め設定される期間内における平均干渉及び雑音電力に応じて、予め設定される期間内における平均搬送波対干渉・雑音比を算出して取得し、受信機が、前記算出されて取得された予め設定される期間内における平均搬送波対干渉・雑音比に基づいて、調整後の前記平均搬送波対干渉・雑音比の範囲と比較することで、変調および符号化方式情報を確定し、これによって、チャネル条件の変化により動的にＭＣＳを選択することに対する影響を克服できる。
【図面の簡単な説明】
【００２０】
【図１】本発明の実施形態に係る変調および符号化方式の選択方法の実現プロセスを示した図である。
【図２】本発明の一実施形態に係る変調および符号化方式の選択装置の構造を示した模式図である。
【図３】本発明の実施形態に係る変調および符号化方式の選択装置において調整モジュールの構造を示した模式図である。
【図４】本発明の他の実施形態に係る変調および符号化方式の選択装置の構造を示した模式図である。
【発明を実施するための形態】
【００２１】
本発明の実施形態に係る変調および符号化方式の選択方法によれば、基地局は伝送に適合する場合のチャネル条件のＭＣＳを使用してデータを伝送するために、受信機はＭＣＳを選択する場合に、一定の予測を行ってチャネル条件の変化により動的にＭＣＳを選択することに対する影響を克服する。具体的に、受信機は測定サブフレームの干渉及び雑音電力を利用することで、基準ＭＣＳパラメータにおける平均搬送波対干渉・雑音比（ＣＩＮＲ：  Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）の範囲に対して動的に調整し、そして測定サブフレームの予め設定される期間内における平均干渉及び雑音電力を利用し、予め設定される期間内における平均ＣＩＮＲを算出して取得し、調整後の平均ＣＩＮＲ範囲と比較することで、対応するＭＣＳを選択し、これによって、チャネル条件の変化により動的にＭＣＳを選択することに対する影響を克服し、送信機は伝送に適合する場合のチャネル条件のＭＣＳを使用してデータを伝送できるようになる。
【００２２】
理解するために、以下、受信機がユーザ装置（ＵＥ：Ｕｓｅｒ  Ｅｑｕｉｐｍｅｎｔ）とし、送信機が基地局とし、テストサブフレームがＬＴＥにおいて時分割多重（ＴＤＤ：Ｔｉｍｅ  Ｄｉｖｉｓｉｏｎ  Ｄｕｐｌｅｘ）モードにおけるダウンリンクサブフレームとすることを例として、本発明の実施形態における具体的な実現プロセスを詳細に説明する。なお、本発明の実施形態に係る変調および符号化方式の選択方法並びに装置は、ＬＴＥとＷｉＭａｘにおける様々な作業モードに適用されることができる。
【００２３】
本発明の実施形態に係るＵＥは、基準ＭＣＳパラメータを予め記憶してもよく、基準ＭＣＳ表を確立する方式でＭＣＳパラメータを記憶してもよい。ＵＥによって記憶された基準ＭＣＳパラメータは、具体的に、ＵＥと基地局に適用する複数のＭＣＳ、及び各ＭＣＳに対応する平均ＣＩＮＲの範囲を含んでよい。例えば、ＭＣＳｉ（ｉがＭＣＳに対応する符号である）に対応する平均ＣＩＮＲ範囲はＣＩＮＲｌｏｗ，ｉ〜ＣＩＮＲｈｉｇｈ，ｉとする。測定された測定サブフレームの平均ＣＩＮＲｉがＣＩＮＲｌｏｗ，ｉ〜ＣＩＮＲｈｉｇｈ，ｉ範囲内にある場合、ＭＣＳｉを基地局の伝送データ時の利用されるＭＣＳとして選択する。
【００２４】
図１は本発明の実施形態に係る変調および符号化方式の選択方法の実現プロセス図であり、図１に示すように、本発明の１つの具体的な実施形態に係る変調および符号化方式の選択方法は、具体的に、以下のステップを含む。
【００２５】
ステップ１１において、ＵＥは測定サブフレームの干渉及び雑音電力を取得する。
【００２６】
具体的には、ＵＥがある予め設定される期間内（具体的な期間が基地局により確定されてもよい）において、各ダウンリンクサブフレームにおける干渉及び雑音電力を測定し、第ｎ個の測定サブフレームにおいて測定されて取得された干渉及び雑音電力はｐ（ｎ）と記す。
【００２７】
ステップ１２において、ＵＥは予め期間内における干渉及び雑音電力ｐ（ｎ）の平均値Ｐ（ｎ）及び分散Ｖ（ｎ）を算出して取得する。
【００２８】
具体的には、ＵＥが予め設定される期間内における第ｎ個までの測定サブフレームの干渉及び雑音電力の平均値Ｐ（ｎ）及び分散Ｖ（ｎ）をメンテナンスする。平均パワーＰ（ｎ）とパワーの分散Ｖ（ｎ）の計算公式が具体的には以下のように示される。
2013536618.tif 000005
2013536618.tif 000006
【００２９】
上記公式で、パラメータαの値の範囲が（０、１）であり、好ましくは、値が０．１である。
【００３０】
なお、上記公式に基づいて平均パワーＰ（ｎ）及びパワーの分散Ｖ（ｎ）を算出して取得するのは、ただ本発明の１つの好適な実施形態であり、本発明の具体実現時に、当業者にとっては、本技術分野に慣用する方法を用いて、平均パワーＰ（ｎ）及びパワーの分散Ｖ（ｎ）を取得でき、例えば、複数の測定値のリニア平均を用いて、同様に、平均パワーＰ（ｎ）及びパワーの分散Ｖ（ｎ）を取得できる。
【００３１】
ステップ１３において、ＵＥは基準ＭＣＳパラメータにおける平均ＣＩＮＲ範囲の予測調整量を算出して取得する。
【００３２】
１つの好適な実施形態では、ＵＥがまず測定サブフレームの干渉及び雑音電力ｐ（ｎ）の平均値Ｐ（ｎ）及び分散Ｖ（ｎ）に基づいて、正規化信号電力分散Ｂ（ｎ）を算出して取得する。
【００３３】
Ｂ（ｎ）＝Ｖ（ｎ）／Ｐ（ｎ）２
そして、Ｂ（ｎ）に応じて、基準ＭＣＳパラメータにおける平均ＣＩＮＲ範囲の予測調整量Δ（ｎ）を算出して取得する。
【００３４】
Δ（ｎ）＝ｆ（Ｂ（ｎ））
上記公式では、ｆ（）が増加関数であり、具体的な実施形態において、ｆ（）がリニア単調増加関数ｆ（ｘ）＝ａｘであり、ここで、ａが正数であってよい。
【００３５】
上記ステップ１２、１３により予測調整量を取得できる。なお、本発明の実施形態に係る予測調整量の計算プロセスの実質はマッピング関数増加の予測プロセスであり、具体的には、当該プロセスは複数種の計算方式（公式、関数名称の定義、増加関数の表現形式等が含まれる）により実現され、干渉及び雑音電力分散から調整量までのマッピングは単調であると、即ち干渉及び雑音電力変化が大きいほど、調整量が大きくなり、つまり、ＭＣＳを選択するときは控え目にするほどよい。
【００３６】
ステップ１４において、ＵＥは予測調整量に基づいて、基準ＭＣＳパラメータにおける平均ＣＩＮＲの範囲を調整する。
【００３７】
ステップ１３で算出されて取得された予測調整量に基づいて、ＵＥは基準ＭＣＳパラメータにおける平均ＣＩＮＲの範囲を調整し、即ち予測調整量を基準ＭＣＳパラメータにおける平均ＣＩＮＲの範囲にロードする。
【００３８】
予測調整量をロードした後の平均ＣＩＮＲ範囲は、ＣＩＮＲｌｏｗ，ｉ＋Δ（ｎ）〜ＣＩＮＲｈｉｇｈ，ｉ＋Δ（ｎ）に示されてもよい。
【００３９】
ステップ１５において、ＵＥはＰ（ｎ）により予め設定される期間内における平均ＣＩＮＲ（ｎ）を算出する。
【００４０】
具体的に、ＵＥは公式ＣＩＮＲ（ｎ）＝１０ｌｏｇ１０（Ｃ／Ｐ（ｎ））により測定サブフレームの予め設定される期間内における平均ＣＩＮＲ（ｎ）を算出できる。ここで、Ｃが信号電力である。
【００４１】
ステップ１６において、ＵＥが平均ＣＩＮＲ（ｎ）に基づいて、調整後の平均ＣＩＮＲ範囲と比較することで、ＭＣＳ情報を確定する。
【００４２】
具体的に、ＵＥは算出されて取得された平均ＣＩＮＲ（ｎ）に基づいて、調整後の平均ＣＩＮＲ範囲と比較することで、平均ＣＩＮＲ（ｎ）が調整後のあるＭＣＳの平均ＣＩＮＲ範囲内に属することを具体的に確定し、即ち当該ＭＣＳを基地局が伝送に適合する場合のチャネル条件のＭＣＳとして確定する。例えば、この時、算出されて取得されたＣＩＮＲ（ｎ）が調整後のＭＣＳｉに対応する平均ＣＩＮＲ範囲に属する場合、ＵＥは、ＭＣＳｉを基地局が伝送に適合する場合のチャネル条件のＭＣＳとして確定する。
【００４３】
ステップ１７において、ＵＥは確定されたＭＣＳ情報を基地局にフィードバックする。
【００４４】
ＵＥは、基地局が伝送に適合する場合のチャネル条件のＭＣＳを選択してデータを送信するように、確定されたＭＣＳ情報を基地局にフィードバックする。
【００４５】
本発明の実施形態に係る変調および符号化方式の選択方法は、異なる場面では、例えば、多入力、多出力（ＭＩＭＯ：Ｍｕｌｔｉｐｌｅ−Ｉｎｐｕｔ  Ｍｕｌｔｉｐｌｅ−Ｏｕｔ−ｐｕｔ）技術が応用されているマルチセル無線通信システムにおいて、受信機がチャネル条件の変化による動的なＭＣＳ選択に対する影響を克服でき、送信機が伝送に適合する場合のチャネル条件のＭＣＳ情報を送信機にフィードバックし、これで送信機は、伝送に適合する場合のチャネル条件のＭＣＳを選択してデータを送信する。
【００４６】
図２は本発明一実施形態に係る変調および符号化方式の選択装置の構造模式図であり、図２に示すように、当該変調および符号化方式の選択装置は以下のモジュールを含む。
【００４７】
調整モジュール２１は、測定サブフレームの干渉及び雑音電力に応じて、基準変調および符号化方式パラメータにおける平均搬送波対干渉・雑音比の範囲を調整することに用いられる。
【００４８】
計算モジュール２２は、測定サブフレームの予め設定される期間内における平均干渉及び雑音電力に応じて、予め設定される期間内における平均搬送波対干渉・雑音比を算出して取得することに用いられる。
【００４９】
確定モジュール２３は、前記計算モジュール２２によって算出されて取得された予め設定される期間内における平均搬送波対干渉・雑音比に基づいて、前記調整モジュール２１によって調整された平均搬送波対干渉・雑音比の範囲と比較することで、変調および符号化方式情報を確定することに用いられる。
【００５０】
本発明の実施形態に係る変調および符号化方式の選択装置は、基準ＭＣＳパラメータを予め記憶でき、基準ＭＣＳ表を確立する方式でＭＣＳパラメータを記憶できる。ＵＥによって記憶された基準ＭＣＳパラメータは、具体的に、ＵＥと基地局が適用される複数のＭＣＳ、及び各ＭＣＳに対応する平均ＣＩＮＲの範囲を含むことができる。例えば、ＭＣＳｉ（ｉがＭＣＳに対応する符号である）に対応する平均ＣＩＮＲ範囲がＣＩＮＲｌｏｗ，ｉ〜ＣＩＮＲｈｉｇｈ，ｉとする。測定された測定サブフレームの平均ＣＩＮＲｉがＣＩＮＲｌｏｗ，ｉ〜ＣＩＮＲｈｉｇｈ，ｉ範囲内にある場合、ＭＣＳｉを基地局のデータ伝送の場合のＭＣＳとして選択する。
【００５１】
１つの好適な実施形態では、本発明の実施形態に係る調整モジュール２１は、具体的に、図３に示すように、以下のユニットを含む。
【００５２】
取得ユニット２１１は、測定サブフレームの干渉及び雑音電力ｐ（ｎ）を取得することに用いられる。
【００５３】
具体的には、取得ユニット２１１がある予め設定される期間内（具体的な期間が基地局により確定されてもよい）で、各ダウンリンクサブフレームにおける干渉及び雑音電力を測定し、第ｎ個の測定サブフレームにおける測定されて取得される干渉及び雑音電力がｐ（ｎ）と記す。
【００５４】
計算ユニット２１２は、予め設定される期間内における測定サブフレーム干渉及び雑音電力ｐ（ｎ）の平均値Ｐ（ｎ）及び分散Ｖ（ｎ）を算出して取得することに用いられる。
【００５５】
具体的には、計算ユニット２１２が予め設定される期間内における第ｎ個までの測定サブフレームの干渉及び雑音電力の平均値Ｐ（ｎ）及び分散Ｖ（ｎ）をメンテナンスする。
【００５６】
平均パワーＰ（ｎ）とパワーの分散Ｖ（ｎ）の計算公式が具体的には以下のように示される。
2013536618.tif 000007
2013536618.tif 000008
【００５７】
上記公式で、パラメータαの値の範囲が（０、１）であり、好ましくは値が０．１である。
【００５８】
なお、上記公式に基づいて平均パワーＰ（ｎ）及びパワーの分散Ｖ（ｎ）を算出して取得することは、ただ本発明の好適な実施形態の１つであり、本発明が具体的に実現される場合、当業者にとっては、本分野に慣用する方法を用いて、平均パワーＰ（ｎ）及びパワーの分散Ｖ（ｎ）を取得でき、例えば、複数の測定値のリニア平均を用いて、平均パワーＰ（ｎ）及びパワーの分散Ｖ（ｎ）を取得できる。
【００５９】
計算ユニット２１３は、計算ユニット２１２によって算出されて取得された平均値Ｐ（ｎ）及び分散Ｖ（ｎ）に応じて、基準変調および符号化方式パラメータにおける平均搬送波対干渉・雑音比の範囲の予測調整量を算出して取得することに用いられる。
【００６０】
具体的に、計算ユニット２１３はまず測定サブフレームの干渉及び雑音電力ｐ（ｎ）の平均値Ｐ（ｎ）及び分散Ｖ（ｎ）に基づいて、正規化信号電力分散Ｂ（ｎ）を算出して取得することができる。
【００６１】
Ｂ（ｎ）＝Ｖ（ｎ）／Ｐ（ｎ）２
そして、Ｂ（ｎ）に応じて、基準ＭＣＳパラメータにおける平均ＣＩＮＲ範囲の予測調整量Δ（ｎ）を算出して取得する。
【００６２】
Δ（ｎ）＝ｆ（Ｂ（ｎ））
上記公式では、ｆ（）が増加関数であり、具体的な実施形態においてｆ（）がリニア単調増加関数ｆ（ｘ）＝ａｘであり、ここで、ａが正数であってよい。
【００６３】
上記計算ユニット２１３が本発明の好適な実施形態において実行した計算プロセスによって、予測調整量を取得することができる。なお、実質に、本発明の実施形態に係る予測調整量計算プロセスは、マッピング関数増加予測プロセスであり、当該プロセスは複数種の計算方式（公式、関数名定義、増加関数の表現形式等を含む）により具体的に実現され、干渉及び雑音電力分散から調整量までのマッピングは単調であると、干渉及び雑音電力変化が大きいほど、調整量が大きくなり、つまり、ＭＣＳを選択するときは控え目にするほどよい。
【００６４】
調整ユニット２１４は、前記第２計算ユニット２１３によって算出されて取得された予測調整量に応じて、基準ＭＣＳパラメータにおける平均ＣＩＮＲの範囲を調整することに用いられる。
【００６５】
具体的に、調整ユニット２１４は計算ユニット２１３によって算出されて取得された予測調整量に基づいて、基準ＭＣＳパラメータにおける平均ＣＩＮＲの範囲を調整し、即ち予測調整量を基準ＭＣＳパラメータにおける平均ＣＩＮＲの範囲にロードする。
【００６６】
予測調整量をロードした後の平均ＣＩＮＲ範囲は、ＣＩＮＲｌｏｗ，ｉ＋Δ（ｎ）〜ＣＩＮＲｈｉｇｈ，ｉ＋Δ（ｎ）に示されてもよい。
【００６７】
１つの好適な実施形態では、本発明実施形態に係る計算モジュール２２は、Ｐ（ｎ）により予め設定される期間内における平均ＣＩＮＲ（ｎ）を算出する。
【００６８】
具体的には、計算モジュール２２が公式ＣＩＮＲ（ｎ）＝１０ｌｏｇ１０（Ｃ／Ｐ（ｎ））を介して予め設定される期間内における測定サブフレームの平均ＣＩＮＲ（ｎ）を算出する。ここで、Ｃが信号電力である。
【００６９】
１つの好適な実施形態では、本発明実施形態に係る確定モジュール２３は、計算モジュール２２によって算出されて取得された予め設定される期間内における測定サブフレームの平均ＣＩＮＲ（ｎ）に基づいて、調整後の平均ＣＩＮＲ範囲と比較することで、ＭＣＳ情報を確定する。
【００７０】
具体的に、確定モジュール２３は、計算モジュール２２によって算出されて取得された予め設定される期間内における測定サブフレームの平均ＣＩＮＲ（ｎ）に基づいて、調整後のＣＩＮＲ範囲と比較することで、平均ＣＩＮＲ（ｎ）が具体的にある調整されたＭＣＳの平均ＣＩＮＲ範囲内に属することを確定し、即ち当該ＭＣＳを基地局が伝送に適合する場合のチャネル条件のＭＣＳとして確定する。例えば、この時、算出されて取得されたＣＩＮＲ（ｎ）が調整されたＭＣＳｉに対応する平均ＣＩＮＲ範囲に属する場合、確定モジュール２３は、ＭＣＳｉを基地局の伝送に適合する場合のチャネル条件のＭＣＳとして確定する。
【００７１】
別の１つの好適な実施形態では、図４に示すように、本発明の実施形態に係る変調および符号化方式の選択装置は、
確定モジュール２３によって確定されたＭＣＳ情報を送信機にフィードバックするフィードバックモジュール２４を更に含む。
【００７２】
具体的に、フィードバックモジュール２４は、基地局が、伝送に適合する場合のチャネル条件のＭＣＳを選択してデータを送信するように、確定モジュール２３によって確定されたＭＣＳ情報を基地局にフィードバックする。
【００７３】
１つの好適な実施形態では、本発明の実施形態に係る変調および符号化方式の選択装置は具体的に受信機であり、例えばＵＥ。また、本発明の実施形態に係る送信機が具体的に基地局である。
【００７４】
以上のように、本発明の実施形態に係る変調および符号化方式の選択方法並びに装置には、受信機が、測定サブフレームの干渉及び雑音電力に応じて、基準変調および符号化方式パラメータにおける平均搬送波対干渉・雑音比の範囲を調整し、受信機が、測定サブフレームの予め設定される期間内における平均干渉及び雑音電力に応じて、予め設定される期間内における平均搬送波対干渉・雑音比を算出して取得し、受信機が、前記算出されて取得された予め設定される期間内における平均搬送波対干渉・雑音比に基づいて、調整後の前記平均搬送波対干渉・雑音比の範囲と比較することで、変調および符号化方式の情報を確定する。このように、チャネル条件の変化により動的にＭＣＳを選択することに対する影響を克服し、フィードバックされた変調および符号化方式が、期待されるブロックエラー率（ＢＬＥＲ：ＢＬｏｃｋ  Ｅｒｒｏｒ  Ｒａｔｅ）に正確に達成し、送信機が、伝送に適合する場合のチャネル条件のＭＣＳを使用してデータを伝送する。
【００７５】
上記のものは本発明の好適な実施形態に過ぎず、種々の変更形態および変形形態が当業者によって可能である。また、特許請求の範囲に規定される本発明の趣旨及び範囲に逸脱しない限り、あらゆる変更、均等な置換、および改良が可能であることを理解されたい。
【図１】
2013536618.tif 000011
【図２】
2013536618.tif 000012
【図３】
2013536618.tif 000013
【図４】
2013536618.tif 000014
【国際調査報告】
2013536618.tif 000015
2013536618.tif 000016
2013536618.tif 000017
2013536618.tif 000018